【手続補正書】
【提出日】平成30年12月12日(2018.12.12)
【手続補正１】
【補正対象書類名】明細書
【補正対象項目名】００８７
【補正方法】変更
【補正の内容】
【００８７】
データ処理部３３は、たとえば、算出した各実作業時間を日ごとに集計し、図７に示す集計表ＳｕｍＡ１に書き込む。データ処理部３３は、作業者２Ｂについても、作業者２Ａと同様の処理を行い、日ごとの実作業時間の集計結果を、図８に示す集計表ＳｕｍＢ１に書き込む。
【手続補正２】
【補正対象書類名】明細書
【補正対象項目名】００８８
【補正方法】変更
【補正の内容】
【００８８】
データ処理部３３は、集計表ＳｕｍＡ１，ＳｕｍＢ１の内容を表示制御部３４へ通知する。
【手続補正３】
【補正対象書類名】明細書
【補正対象項目名】０１１０
【補正方法】変更
【補正の内容】
【０１１０】
データ処理部３３は、各集計結果に基づいて、溶接長および実作業時間を日ごとに算出し、算出結果を、図１１に示す集計表ＳｕｍＡ２に書き込む。
【手続補正４】
【補正対象書類名】明細書
【補正対象項目名】０１１１
【補正方法】変更
【補正の内容】
【０１１１】
データ処理部３３は、案件名ＭＢについても、案件名ＭＡと同様の処理を行い、溶接長および実作業時間の日ごとの算出結果を、図示しない集計表ＳｕｍＢ２に書き込む。
【手続補正５】
【補正対象書類名】明細書
【補正対象項目名】０１１２
【補正方法】変更
【補正の内容】
【０１１２】
データ処理部３３は、集計表ＳｕｍＡ２，ＳｕｍＢ２の内容を表示制御部３４へ通知する。
【手続補正６】
【補正対象書類名】明細書
【補正対象項目名】０１２８
【補正方法】変更
【補正の内容】
【０１２８】
具体的には、データ処理部３３は、たとえば、図１１に示す集計表ＳｕｍＡ２、および帳票データＦ３に基づいて、溶接長および実作業時間を案件名ごとかつ天気ごとにまとめる処理を行う。
【手続補正７】
【補正対象書類名】明細書
【補正対象項目名】０１２９
【補正方法】変更
【補正の内容】
【０１２９】
より詳細には、データ処理部３３は、案件名ＭＡについて、溶接長および実作業時間と天気との対応関係を日ごとに取得し、取得結果を集計することにより、天気ごとの溶接長および実作業時間を、図１３に示す集計表ＳｕｍＡ３に書き込む。
【手続補正８】
【補正対象書類名】明細書
【補正対象項目名】０１３０
【補正方法】変更
【補正の内容】
【０１３０】
データ処理部３３は、案件名ＭＢについても案件名ＭＡと同様の処理を行い、天気ごとの溶接長および実作業時間を、図示しない集計表ＳｕｍＢ３に書き込む。
【手続補正９】
【補正対象書類名】明細書
【補正対象項目名】０１３１
【補正方法】変更
【補正の内容】
【０１３１】
データ処理部３３は、集計表ＳｕｍＡ３，ＳｕｍＢ３の内容を表示制御部３４へ通知する。
【手続補正１０】
【補正対象書類名】明細書
【補正対象項目名】０１３８
【補正方法】変更
【補正の内容】
【０１３８】
次に、管理装置１０１は、センサデータＳＤＡ，ＳＤＢ、対応情報、および帳票データＦＡ１，ＦＢ１に基づいて、実作業時間を作業者名ごとに集計し、集計結果を集計表ＳｕｍＡ１，ＳｕｍＢ１に書き込む（ステップＳ１１０）。
【手続補正１１】
【補正対象書類名】明細書
【補正対象項目名】０１３９
【補正方法】変更
【補正の内容】
【０１３９】
次に、管理装置１０１は、集計表ＳｕｍＡ１，ＳｕｍＢ１の内容を表示装置１６１に表示する制御を行う（ステップＳ１１２）。
【手続補正１２】
【補正対象書類名】明細書
【補正対象項目名】０１６８
【補正方法】変更
【補正の内容】
【０１６８】
具体的には、データ処理部３３は、設定変更部３５から通知された設定内容が作業者名を示す場合、センサデータＳＤＡ，ＳＤＢ（図２，図３参照）、対応情報および帳票データＦＡ１，ＦＢ１（図４，図５参照）に基づいて、実作業時間を作業者名ごとに集計し、集計結果を集計表ＳｕｍＡ１，ＳｕｍＢ１（図７，図８参照）に書き込む。
【手続補正１３】
【補正対象書類名】明細書
【補正対象項目名】０１６９
【補正方法】変更
【補正の内容】
【０１６９】
一方、データ処理部３３は、設定変更部３５から通知された設定内容が案件名および溶接長を示す場合、センサデータＳＤＡ，ＳＤＢ（図２，図３参照）、対応情報および帳票データＦＡ２，ＦＢ２（図９，図１０参照）に基づいて、溶接長／実作業時間を作業者名ごとに集計し、集計結果を集計表ＳｕｍＡ２（図１１参照），ＳｕｍＢ２に書き込む。
【手続補正１４】
【補正対象書類名】特許請求の範囲
【補正対象項目名】全文
【補正方法】変更
【補正の内容】
【特許請求の範囲】
【請求項１】
設備についての計測を行うセンサによる計測結果、および前記計測結果に対応する時刻を含むセンサデータを取得する第１の取得部と、
前記設備の複数の使用期間、および各前記使用期間に対応する管理項目の内容を含む帳票データを記憶部から取得する第２の取得部と、
前記第１の取得部によって取得された前記計測結果および対応の前記時刻、ならびに前記第２の取得部によって取得された前記内容および対応の前記使用期間に基づいて、前記計測結果に基づく計測情報を前記内容ごとに集計する処理を行うデータ処理部とを備える、管理装置。
【請求項２】
前記データ処理部は、前記内容に対応する前記使用期間に含まれる前記時刻を取得し、取得した前記時刻に対応する前記計測結果に基づいて、前記計測情報を前記内容ごとに算出する処理を行う、請求項１に記載の管理装置。
【請求項３】
前記第１の取得部は、前記センサデータを前記センサごとに複数取得し、
前記第２の取得部は、前記帳票データを前記設備ごとに複数取得し、
前記センサデータは、対応する前記センサの識別情報をさらに含み、
前記データ処理部は、前記識別情報と前記帳票データとの対応関係を示す対応情報に基づいて、複数の前記センサデータに含まれる前記計測結果に基づく計測情報を前記内容ごとに集計する処理を行う、請求項１または請求項２に記載の管理装置。
【請求項４】
前記データ処理部は、前記対応情報に基づいて各前記内容に対応する前記使用期間と各前記センサデータに含まれる前記識別情報とを対応付けるとともに、前記センサデータに含まれる前記計測結果であって前記センサデータに含まれる前記識別情報と対応付けた前記使用期間に含まれる前記時刻に対応する前記計測結果に基づいて、前記計測情報を算出する処理を行う、請求項３に記載の管理装置。
【請求項５】
前記第１の取得部は、前記計測結果に対応する前記センサの識別情報である第１の識別情報をさらに取得し、
前記第２の取得部は、前記使用期間に対応する前記センサの識別情報である第２の識別情報を前記記憶部からさらに取得し、
前記データ処理部は、前記第１の取得部によって取得された前記第１の識別情報、および前記第２の取得部によって取得された前記第２の識別情報にさらに基づいて、前記計測情報を前記内容ごとに集計する処理を行う、請求項１に記載の管理装置。
【請求項６】
前記管理項目の種類は、設定変更可能である、請求項１から請求項５のいずれか１項に記載の管理装置。
【請求項７】
前記管理項目の種類は、複数種類設定可能である、請求項１から請求項６のいずれか１項に記載の管理装置。
【請求項８】
前記データ処理部は、前記計測情報を前記内容ごとかつ他の情報ごとに集計する処理を行う、請求項１から請求項７のいずれか１項に記載の管理装置。
【請求項９】
前記管理装置は、さらに、
前記データ処理部による前記処理の結果を表示する制御を行う表示制御部を備える、請求項１から請求項８のいずれか１項に記載の管理装置。
【請求項１０】
管理装置において用いられる管理プログラムであって、
コンピュータを、
設備についての計測を行うセンサによる計測結果、および前記計測結果に対応する時刻を含むセンサデータを取得する第１の取得部と、
前記設備の複数の使用期間、および各前記使用期間に対応する管理項目の内容を含む帳票データを記憶部から取得する第２の取得部と、
前記第１の取得部によって取得された前記計測結果および対応の前記時刻、ならびに前記第２の取得部によって取得された前記内容および対応の前記使用期間に基づいて、前記計測結果に基づく計測情報を前記内容ごとに集計する処理を行うデータ処理部と、
として機能させるための、管理プログラム。